(57)【要約】      （修正有）【課題】撮影時に、ビデオカメラを所望の異なる高さ位置に位置するよう片腕で長時間保持しても疲労感を軽減することができ、取扱い並びに持ち運びが便利なビデオカメラ撮影用補助具を提供する。【解決手段】外殻が正面から視て略三角形となる表裏面が平行な三角カバーで構成されて側面カバーが一定幅の厚みを有する所定の押圧強度を備えた立法体の収納ケース２で構成され、両三角カバーの略中央に突設した回転軸９に一対の保持具５が着脱可能に装着され、両保持具５には、撓性を有する長さ調整可能な保持帯４の両端が止着され、上記収納ケース２の二つの異なる角度から成る角部の何れかを撮影者Ｍの上腕Ｅ内側と胸部Ｈ側面間の脇の下に挟持した状態で長さが調節された保持帯４を上腕Ｅに巻回して収納ケース２を保持し、脇の下に挟んだ角度の大きさに対応してビデオカメラＶＣを撮影高さ位置に保持できるようにした。【選択図】図１
0003141980.tif 000002
【実用新案登録請求の範囲】
【請求項１】
撮影時に撮影者の上腕の内側と胸部側面の間に補助具を挟んだ状態で上記上腕を保持するようにしたビデオカメラ撮影用補助具であって、
上記ビデオカメラ撮影用補助具は、外殻が正面から視て略三角形となる平行な２平面で構成されて外側面が一定幅の厚みを有する所定の押圧強度を備えた中空状の立法体で構成され、上記２平面には、上腕に巻回して上記補助具を保持するための可撓性を有する保持帯の両端が着脱可能に保持されて成り、
上記補助具の少なくとも二つの異なる角度から成る角部の何れかを撮影者の上腕内側と胸部側面間の脇の下に位置するように挟持して上記保持帯を上腕に巻回し、上記脇の下に挟まれた上記補助具の角度の大きさに対応して上記撮影者の片腕で把持したビデオカメラを所望の撮影高さ位置で保持できるようにしたことを特徴とするビデオカメラ撮影用補助具。
【請求項２】
上記補助具は、その内部に上記ビデオカメラ及びその備品を収納する複数の収納室が仕切り部によって区画構成され、外殻が一定の押圧強度を備えたカメラ収納ケースであって、
上記カメラ収納ケースは、一定幅で形成される外側面の一部に開閉可能な閉塞部材で閉塞される開口部が形成され、上記カメラ収納ケース両面の略中央に突設した回転軸に一対の板状の保持具が回転且つ着脱自在に嵌着され、上記両保持具の側端に形成された係止部には、撮影者の上腕に巻回して上記カメラ収納ケースを保持するための可撓性を有する保持帯の両端が係合され、少なくとも一方の保持具には上記保持帯の一端が長さ調整可能な調節具を介して係合保持されて成り、
上記ビデオカメラを撮影高さ位置に保持する際は、撮影高さに対応するカメラ収納ケースの角部を上記撮影者の脇の下に挟持した状態で、上記係止部が上腕側を向くように上記両保持具を回転させて上記保持帯の長さを調整しつつ上腕に巻回して上記カメラ収納ケースを保持するようにしたことを特徴とする請求項１に記載のビデオカメラ撮影用補助具。
【考案の詳細な説明】
【技術分野】
【０００１】
本考案は、家庭用ビデオカメラ、一眼レフカメラなどのカメラを使用して長時間撮影を行う際に、上記カメラを保持する撮影者の腕をその体側の間で支持するようにしたビデオカメラ撮影用補助具に関する。
【背景技術】
【０００２】
従来、上記ビデオカメラ撮影用補助具は、撮影時には片手で保持して撮影する際に使用されるものであって、上記カメラを保持する片腕に角度調整保持部材を取り付けて上記保持部材を構成する一部の部材を撮影者の体側の一部に当てて上記片腕を保持することで、腕の疲労が軽減されて手振れのない状態で長時間撮影することができるようにしたものが知られている（特許文献１参照）。
【０００３】
この種の補助具は、手首を保持するためにファスナまたはベルトで構成される手首保持部材と、上腕を保持するためにファスナまたはベルトで構成される上腕保持部材と、上記手首保持部材に取り付けられこの手首保持部材から肘までの下腕を支持するための下腕支持部材と、上腕保持部材に取付けられこの上腕保持部材から肘までの上腕を支持するための上腕支持部材と、下腕支持部材と上腕支持部材とのなす角度を調整し且つ下腕支持部材と上腕支持部材とを一体的に保持する角度調整保持部材と、上記角度調整保持部材に取付けられ角度調整保持部材と撮影者の体側の一部である腹部または胸部との距離を調整するための距離調整部材から構成されている。
【０００４】
そして、上記角度調整保持部材は、撮影者の上腕と下腕の関節部近傍に位置するように取付けられており、この角度調整保持部材に取付けられた距離調整部材の端部には撮影者の体側に当接支持するパッドが設けられて体側とのズレを防止している。
【０００５】
【特許文献１】特開２００１−３４３７０１号公報
【考案の開示】
【考案が解決しようとする課題】
【０００６】
ところで、上記特許文献１に示される補助具は、上記下腕支持部材が２枚の板状材で構成されて長手方向に窓が開口され、両者が留め具（ボルトナット）で所定の長さで固定されている。
【０００７】
上記上腕支持部材は、肘近辺まで覆うような板状部材で構成されており、肘附近で角度調整保持部材となるボルトで下腕支持部材の板状材と距離調整部材の板状材と所定の角度となるように且つ一体的に固定されている。上記距離調整部材は、２枚の板状材から構成れていて、それぞれには長手方向に窓が開口され、両者が留め具で所定の長さで固定されている。
【０００８】
そこで、上記補助具を使用する際は、先ず、下腕支持部材と距離調整部材のそれぞれの長さを決めて上記留め具で固定する。更に、下腕支持部材と上腕支持部材とのそれぞれに対する角度を決めてボルト（角度調整保持部材）で締め付け固定する。
次に手首を手首安定部に挿入して面ファスナーを巻きつけて固定し、続いて上腕を面ファスナー（上腕支持部材）で固定し、最後に上記パッドの向きを調整して取付けが完了する。
【０００９】
ところが、上記の補助具では、上腕と下腕にしっかりと固定して腕の動きを拘束する複数の支持部材が用いられ、更にこの支持部材には角度調整保持部材ないしこの角度調整保持部材から延出した距離調整部材などが取付けられた複数の部材から構成されている。
【００１０】
従って、この補助具では、上記支持部材などで腕の動きがしっかり固定されているため、カメラを片腕で長時間所定角度に正確に保持することができるものの、使用時に腕に取付ける作業に手間が掛るだけでなく各部材の角度調整や長さ調整に手間がかかり、加えて部品点数が多いことからコスト高になる問題を有していた。
【００１１】
このようなことから、安価で取扱いが簡便で持ち運びに利便性を有し、カメラを長時間川腕で保持しても疲労感がなく撮影することができる補助具が要望されていた。
【００１２】
本考案の目的は、撮影時に、ビデオカメラを所望の異なる高さ位置に位置するよう片腕で長時間保持しても疲労感を軽減することができ、取扱い並びに持ち運びが便利なビデオカメラ撮影用補助具を提供することを目的とする。
【課題を解決するための手段】
【００１３】
上記の目的を解決するために、本考案の請求項１に記載のビデオカメラ撮影用補助具は、撮影時に撮影者の上腕の内側と胸部側面の間に補助具を挟んだ状態で上記上腕を保持するようにしたビデオカメラ撮影用補助具であって、
上記ビデオカメラ撮影用補助具は、外殻が正面から視て略三角形となる平行な２平面で構成されて外側面が一定幅の厚みを有する所定の押圧強度を備えた中空状の立法体で構成され、上記２平面には、上腕に巻回して上記補助具を保持するための可撓性を有する保持帯の両端が着脱可能に保持されて成り、
上記補助具の少なくとも二つの異なる角度から成る角部の何れかを撮影者の上腕内側と胸部側面間の脇の下に位置するように挟持して上記保持帯を上腕に巻回し、上記脇の下に挟まれた上記補助具の角度の大きさに対応して上記撮影者の片腕で把持したビデオカメラを所望の撮影高さ位置で保持できるようにしたことを特徴とするビデオカメラ撮影用補助具である。
上記のビデオカメラ撮影用補助具によれば、ビデオカメラ撮影時に、所定の押圧強度を備えた上記保持具を、少なくとも二つの異なる角度から成る角部の何れかを撮影者の上腕内側と胸部側面間の脇の下に位置するように挟持して上記保持帯を上腕に巻回することで、上記補助具の角度の大きさに対応して撮影者の片腕で把持したビデオカメラを所望の撮影高さ位置に保持できるようにした。
【００１４】
本考案の請求項２に記載のビデオカメラ撮影用補助具は、上記補助具が、その内部に上記ビデオカメラ及びその備品を収納する複数の収納室が仕切り部によって区画構成され、外殻が一定の押圧強度を備えたカメラ収納ケースであって、
上記カメラ収納ケースは、一定幅で形成される外側面の一部に開閉可能な閉塞部材で閉塞される開口部が形成され、上記カメラ収納ケース両面の略中央に突設した回転軸に一対の板状の保持具が回転且つ着脱自在に嵌着され、上記両保持具の側端に形成された係止部には、撮影者の上腕に巻回して上記カメラ収納ケースを保持するための可撓性を有する保持帯の両端が係合され、少なくとも一方の保持具には上記保持帯の一端が長さ調整可能な調節具を介して係合保持されて成り、
上記ビデオカメラを撮影高さ位置に保持する際は、撮影高さに対応するカメラ収納ケースの角部を上記撮影者の脇の下に挟持した状態で、上記係止部が上腕側を向くように上記両保持具を回転させて上記保持帯の長さを調整しつつ上腕に巻回して上記カメラ収納ケースを保持するようにしたことを特徴とするビデオカメラ撮影用補助具である。
上記のビデオカメラ撮影用補助具によれば、カメラ収納ケースをビデオカメラ撮影用補助具として使用する際は、上記カメラ収納ケース内から取り出したビデオカメラを、所望の撮影高さ位置に保持するに際し、撮影高さに対応するカメラ収納ケースの角部を撮影者の脇の下に挟持し、この状態で上記両保持具の係止部が上腕側を向くように回転させて上記保持帯の長さを調整しつつ上腕に巻回して上記カメラ収納ケースを保持する。撮影が終了したビデオカメラは、再びカメラ収納ケース内に収容して持ち運ぶことができる。
【考案の効果】
【００１５】
本考案は以下の効果を奏する。
【００１６】
請求項１に記載の考案によれば、撮影時に、撮影者の上腕の内側と胸部側面間の脇の下に少なくとも二つの異なる角度から成る角部の何れかが位置するように保持帯を上腕に巻回して略三角形の補助具を保持することで、ビデオカメラを所望の異なる高さ位置に位置するよう片腕で長時間保持しても疲労感を軽減することができ、ブレがなく正確に撮影することができる。
【００１７】
請求項２に記載の考案によれば、補助具がビデオカメラ及びその備品を収納する複数の収納室が仕切り部によって区画構成された略三角形状のカメラ収納ケースとして構成されるので、片腕で保持したビデオカメラを適宜所望の高さ位置で長時間保持することができるだけでなく取扱いが簡便で持ち運びが便利となる。
【考案を実施するための最良の形態】
【００１８】
本考案の一実施例を以下に説明する。
【実施例】
【００１９】
図１〜図５にはビデオカメラ撮影用補助具の一実施例が示されている。図１は本考案に係るビデオカメラ撮影用補助具を使用してビデオ撮影する状態を示す部分斜視図、図２はカメラ収納ケースとして使用されるビデオカメラ撮影用補助具単体の斜視図、図３はカメラ収納ケースとして使用されるビデオカメラ撮影用補助具の使用説明図である。
【００２０】
図１〜図３において、１はビデオカメラ撮影用補助具であって、このビデオカメラ撮影用補助具１は、撮影時に撮影者Ｍの上腕Ｅの内側と胸部Ｈ側面の間に上記補助具１を挟んで上腕Ｅを一定の位置に支持するようにして使用されるもので、例えば、詳細は後述するがビデオカメラやその関連器具を収納する内部空間を形成した収納ケース２として構成することができる。この収納ケース２の外殻を構成する概略の三角形は、二等辺三角形、直角三角形等が挙げられるが、本実施例では略直角三角形として説明する。
【００２１】
上記収納ケース２は、外殻が正面から視て略直角三角形となる表裏面が平行な２平面を構成する三角カバー２ａ，２ｂと、異なる長さの３辺で略直角三角形を構成する外側面が一定幅となる側面カバー２ｃとで収納空間が形成されている。そして、このような三角カバー２ａ，２ｂと側面カバー２ｃで構成される外殻は、内部が空の状態でも一定の押圧強度に耐えられる弾力性のある立法体で構成されている。
【００２２】
上記収納ケース２の表裏面三角カバー２ａ，２ｂの略中央には、略同一軸上に一対の回転軸９が突設しており、上記両回転軸９には、嵌着部８を介して例えば金属板またはプラスチック板で逆三角形状に形成された一対の保持具５，７が回転且つ着脱自在に嵌着されている。そして、表面側の回転軸９に嵌着された一方の保持具５側端の係止部には一対の保持帯４の一端が長さ調整可能に挿通係止され、裏面側の回転軸９に嵌着される他方の保持具７には上記両保持帯４の他端がそれぞれ止着または挿通係止されている。
【００２３】
より詳しくは、上記表面側の回転軸９に回転自在に嵌着される一方の保持具５の側端近傍には、上記一対の保持帯４の一端を挿通係止する係止部となる一対の長孔Ｎが一定間隔離間して一列に隣接配置されており、これら一対の保持帯４の一端外側面には面ファスナーとなるマジックテープ（登録商標）６が一定長さの範囲で取着されている。上記両長孔Ｎを挿通して折り返した一対の保持帯４は、上記マジックテープ６により所望の長さに調節して係合保持されるようになっており調節具としての機能を備えている。なお、長さ調整のための調節具は、これに限定されず公知のものを使用することができる。
【００２４】
上記一対の保持帯４の他端にも他方の保持具７が止着されており、これら両保持具７は、上記収納ケース２表面側の略中央に突設した回転軸９に回転且つ着脱自在に嵌着できる装着部８を備えている。尚、上記保持具７は、保持帯４の他端を挿通係止するための係止部となる一対の長孔Ｎを形成した上記保持具５と同じ形態に構成することもできることは勿論である。
【００２５】
更に、上記収納ケース２の表裏両面の側辺近傍には、同一軸上に一対の回転軸１４が突設しており、これら回転軸１４には、図３に示すようにショルダーベルト１０の両端が回転且つ着脱可能に嵌着されている。すなわち、上記ショルダーベルト１０の両端にはそれぞれ係止金具１２が取着されており、これら係止金具１２が上記収納ケース２の表裏両面の回転軸１４に嵌着されるようになっている。このように収納ケース２を持ち運ぶ際は、図８に示すように収納ケース２に両端を嵌着したショルダーベルト１０を撮影者Ｍの肩に掛けて保持することができる。
【００２６】
次に、収納ケースの詳細構造に付き図４、図５を参照して説明する。図４はカメラ収納ケースの内部構造を示す縦断面図、図５はカメラ収納ケースの外観側面図である。
【００２７】
図４、図５において、上記収納ケース２は、内部空間にビデオカメラＶＣを収容するカメラ収納室２５が形成されており、その下部には保持帯４や後述するショルダーベルト１０を折り畳んで収納するベルト収納室２６が仕切り部材２２により区画形成されると共に、上記カメラ収納室２５の後方には仕切り部材２４により区画形成されて電源コードなどを収納する収納室２８が形成されている。
【００２８】
上記カメラ収納室２５並びにベルト収納室２６は、それぞれ最短長さの一辺を構成する側面カバー２ｃの一部に形成された開口部１８，２０に連通しており、これら両開口部１８，２０は、上記側面カバー２ｃより若干幅広に形成された可撓性を有する帯状蓋体１６で閉塞されるようになっており、上記帯状蓋体１６は、開閉端部内側に取着された面ファスナー１５ａと開口部１８上部側の側面カバー２ｃに取着された面ファスナー１５ｂと着脱可能に接合できるようになっている。尚、図４に示す後方収納室２８は、開閉可能な図示しない開口部に連通している。
【００２９】
更に、上記収納ケース２の表裏三角カバー２ａ，２ｂの少なくとも一方の表面側には、一対の係止帯３０両端が縫着されており、上記収納ケース２を使用する際は、図９に示すように上記一対の係止帯３０に撮影者ＭのベルトＢを挿通して保持することができる。
【００３０】
次に、上記収納ケース２の使用方法に付き図６、図７を参照して説明する。図６（ａ）〜（ｃ）はビデオカメラ撮影用補助具の使用態様を示す説明図、図７（ａ）〜（ｃ）はビデオカメラ撮影用補助具の角度別に上腕が支持される使用態様の説明図である。
【００３１】
図６（ａ）〜（ｃ）に示すように、ビデオカメラ撮影用補助具の一例となる収納ケース２を３つの形態で保持することで、撮影者Ｍの片腕で把持したビデオカメラＶＣを略３段階の高さ位置に保持して撮影することができるようになっている。
【００３２】
図６（ａ）〜（ｃ）は図７（ａ）〜（ｃ）にそれぞれ対応しており、併せて説明する。  先ず、図６（ａ）、図７（ａ）に示すように、略直角三角形を構成する一番鋭角α（約３０度）となる頂角の角部Ｘが撮影者Ｍの上腕Ｅの内側と胸部Ｈの側面間の脇の下に位置するように保持帯４を上腕Ｅに巻回して上記収納ケース２を保持する。これにより、撮影者Ｍの片腕で把持したビデオカメラＶＣを３段階の高さのうち一番低い高さ位置で保持することができる。
【００３３】
次いで、図６（ｂ）、図７（ｂ）に示すように、略直角三角形を構成する中間の角度β（約６０度）となる角部Ｙが撮影者Ｍの上腕Ｅの内側と胸部Ｈの側面間の脇の下に位置するように保持帯４を上腕Ｅに巻回して上記収納ケース２を保持する。これにより、撮影者Ｍの片腕で把持したビデオカメラＶＣは３段階の高さのうち中間の高さ位置で保持することができる。
【００３４】
更に、図６（ｃ）、図７（ｃ）に示すように、略直角三角形を構成する中間の角度γ（約９０度）となる角部Ｚが撮影者Ｍの上腕Ｅの内側と胸部Ｈの側面間の脇の下に位置するように保持帯４を上腕Ｅに巻回して上記収納ケース２を保持する。これにより、撮影者Ｍの片腕で把持したビデオカメラＶＣは３段階の高さのうち最大高さ位置で保持することができる。
【００３５】
このように、撮影時に、撮影者Ｍ上腕Ｅの内側と胸部Ｈ側面間の脇の下に三つの異なる角度α，β、γから成る角部Ｘ，Ｙ，Ｚが位置するように保持帯４を上腕Ｅに巻回して収納ケース２を保持することで、ビデオカメラＶＣを片腕で所望の異なる高さ位置になるよう長時間保持しても疲労感を軽減することができる。
【００３６】
而も、収納ケース２の収納室には、ビデオカメラＶＣや保持帯４やショルダーベルト１０を折り畳んで収納することができるだけでなく、ショルダーベルト１０を肩に掛けて上記収納ケース２を保持したりベルトに係止して保持することができるので、ビデオカメラＶＣの持ち運びないし取扱いが便利になる。
【００３７】
今まで述べてきた実施例は、ビデオカメラを把持する撮影者の片腕上腕の内側と胸部側面間に角度の大きさを段階的に変えられる部材（例えば、カメラ収納ケース）を介在させることで、ビデオカメラを所望の高さ位置で長時間保持するのに適切なビデオカメラ撮影用補助具として説明してきたが、これに限らず、気体の供給容量によって膨張、縮小可能なエアバッグとして構成することも可能である。これによって、膨張の度合により片腕上腕の内側と胸部側面間の間隔を連続的に拡大、縮小して調整することができ、ビデオカメラを所望の撮影高さ位置に保持することができる。
【図面の簡単な説明】
【００３８】
【図１】本考案に係るビデオカメラ撮影用補助具を使用してビデオ撮影する状態を示す部分斜視図である。
【図２】本考案に係るカメラ収納ケースとして使用されるビデオカメラ撮影用補助具単体の斜視図である。
【図３】本考案に係るカメラ収納ケースとして使用されるビデオカメラ撮影用補助具の使用説明図である。
【図４】カメラ収納ケースの内部構造を示す縦断面図である。
【図５】カメラ収納ケースの外観側面図である。
【図６】（ａ）〜（ｃ）はビデオカメラ撮影用補助具の使用態様を示す説明図である。
【図７】（ａ）〜（ｃ）はビデオカメラ撮影用補助具の角度別に上腕が支持される使用態様の説明図である。
【図８】カメラ収納ケースとして使用されるビデオカメラ撮影用補助具の使用態様を示す説明図である。
【図９】カメラ収納ケースとして使用されるビデオカメラ撮影用補助具の使用態様を示す説明図である。
【符号の説明】
【００３９】
１              補助具（ビデオカメラ撮影用補助具）
２              収納ケース
２ａ，２ｂ      三角カバー
２ｃ            側面カバー
４              保持帯
５              保持具
６              面ファスナー
８              係止具
１０            ショルダーベルト
１２            係止金具
１４            回転軸
１５ａ，１５ｂ  面ファスナー
１６            帯状蓋体
１８，２０      開口部
２２，２４      仕切り部材
２６            ベルト収納室
２８            後方収納室
３０            係止帯
Ｂ              ベルト
Ｅ              上腕
Ｈ              胸部
Ｍ              撮影者
Ｎ              長孔
ＶＣ            ビデオカメラ
Ｘ，Ｙ，Ｚ      角部
【図１】
0003141980.tif 000003
【図２】
0003141980.tif 000004
【図３】
0003141980.tif 000005
【図４】
0003141980.tif 000006
【図５】
0003141980.tif 000007
【図６】
0003141980.tif 000008
【図７】
0003141980.tif 000009
【図８】
0003141980.tif 000010
【図９】
0003141980.tif 000011